(57)【要約】【課題】モニタ上に表示された番組情報からジャンル別に所望の番組タイトルを選択しようとしても、また番組表から直ちに選択しようとしても、ジャンルや番組情報が多数あるので所望の番組タイトルの選択が複雑で手数がかかる。このように番組タイトルの選択、決定を容易に迅速にできなかったので、この問題点を解決する。【解決手段】視聴頻度の高いジャンルを予めジャンル検索用画面３０で選択して設定し、この設定した結果のジャンル選択用画面４４を番組情報と共に画面４０に表示するが、番組表から直ちに所望の番組タイトルを選んだ場合に同一ジャンルの番組タイトルを識別表示して受信のための第１の決定操作を可能にし、一方、ジャンル別から検索する場合は、ジャンル選択用画面４４によって選択されたジャンルの番組タイトルのみを表示する。そして、この画面上から所望の番組タイトルを選択して受信のための第２の決定操作を可能にし、番組タイトルの選択、決定方法の多様性を図る。【選択図】　　　図１
2004140724.tif 000002
【特許請求の範囲】
【請求項１】
放送送信側より伝送されるテレビジョン信号を受信するテレビジョン信号受信装置において、前記テレビジョン信号に係る番組情報データを記憶する番組情報記憶手段と、前記番組情報記憶手段から前記番組情報データを読み出してモニタ画面上に番組情報を表示する表示手段と、予め決められた大ジャンル及び中ジャンルからなる分類データから検索用として所望のジャンルを選んで設定するためのジャンル検索用画面を前記表示手段の画面上に形成するジャンル検索用画面形成手段と、前記ジャンル検索用画面形成手段により検索用として設定された結果のジャンルを前記表示手段の画面に前記番組情報と共にジャンル選択用画面として表示するジャンル選択用画面表示手段と、前記番組情報の番組表から所望の番組タイトルを選んで受信を決定する第１の決定手段と、前記第１の決定手段により決定された番組タイトルと同じジャンルの番組タイトルを当該ジャンル以外のものと識別可能に表示する識別手段と、前記ジャンル選択用画面に従ってジャンルを選択するジャンル選択手段と、前記ジャンル選択手段による選択により選ばれない番組タイトルを消去して選ばれた番組タイトルのみを表示する選択番組表示手段と、前記選択番組表示手段により表示された番組情報表示画面をスクロールするスクロール手段と、前記スクロール手段によって得られる新たな番組情報が前記ジャンル選択手段によって選ばれないジャンルの番組タイトルを消去して選ばれたジャンルの番組タイトルのみを表示するスクロール表示手段と、それぞれの前記選択番組表示手段により表示された番組情報表示画面から所望の番組タイトルを選択して受信を決定する第２の決定手段とを備えていることを特徴とするテレビジョン信号受信装置。
【請求項２】
放送送信側より伝送されるテレビジョン信号を受信するテレビジョン信号受信装置において、前記テレビジョン信号に係る番組情報データを記憶する番組情報記憶手段と、前記番組情報記憶手段から前記番組情報データを読み出してモニタ画面上に番組情報を表示する表示手段と、予め決められた分類データから検索用として所望のジャンルを選んで設定するためのジャンル検索用画面を前記表示手段の画面上に形成するジャンル検索用画面形成手段と、前記ジャンル検索用画面形成手段により検索用として設定された結果のジャンルを前記表示手段の画面に前記番組情報と共にジャンル選択用画面として表示するジャンル選択用画面表示手段と、前記番組情報の番組表から所望の番組タイトルを選んで受信を決定する第１の決定手段と、前記第１の決定手段により決定された番組タイトルと同じジャンルの番組タイトルを当該ジャンル以外のものと識別可能に表示する識別手段と、前記ジャンル選択用画面に従ってジャンルを選択するジャンル選択手段と、前記ジャンル選択手段による選択により選ばれない番組タイトルを消去して選ばれた番組タイトルのみを表示する選択番組表示手段と、前記選択番組表示手段により表示された番組情報画面から所望の番組タイトルを選択して受信を決定する第２の決定手段とを備えていることを特徴とするテレビジョン信号受信装置。
【請求項３】
前記ジャンル検索用画面形成手段における分類データは予め決められた大ジャンル及び中ジャンルからなることを特徴とする請求項２記載のテレビジョン信号受信装置。
【請求項４】
放送送信側より伝送れるテレビジョン信号を受信するテレビジョン信号受信装置において、前記テレビジョン信号に係る番組情報データを記憶し、前記記憶された番組情報データを読み出し、予め決められた大ジャンル及び中ジャンルからなる分類データから検索用として所望のジャンルを選んで設定するためのジャンル検索用画面を形成し、前記ジャンル検索用画面で設定された結果をジャンル選択用画面として前記読み出された番組情報と共に同一画面に表示し、前記番組情報の番組表から所望の番組タイトルを選んで受信のための第１の決定をすると共に、同一ジャンルの番組とそれ以外のものとを識別させ、一方、前記ジャンル選択用画面に従ってジャンルを選択し、選択された結果が選ばれないジャンルの番組タイトルを消去し選ばれたジャンルの番組タイトルのみを表示し、スクロールされて得られた新たな番組タイトルが前記ジャンルの選択結果と同じく選ばれないジャンルの番組タイトルを消去し選ばれたジャンルの番組タイトルのみを表示し、それぞれの前記選ばれたジャンルの番組タイトルの表示画面から所望の番組タイトルを選択して受信のための第２の決定を可能にすることを特徴とするテレビジョン信号受信装置。
【請求項５】
放送送信側より伝送れるテレビジョン信号を受信するテレビジョン信号受信装置において、前記テレビジョン信号に係る番組情報データを記憶し、前記記憶された番組情報データを読み出し、予め決められた分類データから検索用として所望のジャンルを選んで設定するためのジャンル検索用画面を形成し、前記ジャンル検索用画面で設定された結果をジャンル選択用画面として前記読み出された番組情報と共に同一画面に表示し、前記番組情報の番組表から所望の番組タイトルを選んで受信のための第１の決定をすると共に、同一ジャンルの番組とそれ以外のものとを識別させ、一方、前記ジャンル選択用画面に従ってジャンルを選択し、選択された結果が選ばれないジャンルの番組タイトルを消去し選ばれたジャンルの番組タイトルのみを表示し、前記選ばれたジャンルの番組タイトルの表示画面から所望の番組タイトルを選択して受信のための第２の決定を可能にすることを特徴とするテレビジョン信号受信方法。
【請求項６】
前記分類データは予め決められた大ジャンル及び中ジャンルからなることを特徴とする請求項５記載のテレビジョン信号受信方法。
【発明の詳細な説明】
【０００１】
【発明の属する技術分野】
本発明は放送送信側より伝送されるテレビジョン信号を受信するテレビジョン信号受信装置において、テレビジョン信号に係る番組情報データに基づき所望の番組タイトルを選択して決定するテレビジョン信号受信装置及びテレビジョン信号受信方法に関する。
【０００２】
【従来の技術】
例えば、通信衛星放送（ＣＳ：Ｃｏｍｍｕｎｉｃａｔｉｏｎ　Ｓａｔｅｌｌｉｔｅ）や放送衛星（ＢＳ：Ｂｒｏａｄｃａｓｔｉｎｇ　Ｓａｔｅｌｌｉｔｅ）を用いたディジタル衛星テレビジョン放送においては、視聴者に対するサービスの一環として電子番組ガイド（ＥＰＧ：ＥｌｅｃｔｒｏｎｉｃＰｒｏｇｒａｍ　Ｇｕｉｄｅ）が映像及び音声のデータと共に送信されている。また、今後放送が予定されている地上波ディジタルテレビジョン放送においても前記ＥＰＧのサービスが行われると考えられる。
【０００３】
ディジタルテレビジョン放送は多チャンネル放送であることにより、ＥＰＧは視聴者のチャンネルを選択する情報源として極めて重要である。そこで、受信側において、受信されるデータに含まれるＥＰＧを画面上に表示するようにしている。そして、視聴者は、その画面上の夫々チャンネルの番組タイトル、内容、放送時間等を把握し、この多数の番組情報から所望のチャンネルの番組タイトルを選択するようにしている。
【０００４】
このように多数のチャンネル、番組、時間等の情報が同時に画面上で表示されると、視聴者はその選択に手間がかかってしまう。そこで、視聴者が望んでいるジャンルから検索して所望のチャンネルの番組タイトルを選択することが取られている。
【０００５】
ジャンルから検索する技術としては、ＥＰＧからジャンル別表示を作成するものが提案されている（例えば、特許文献１の図５参照）。
【０００６】
しかし、上記の従来技術では、選択されたジャンルの番組のみが表示されるので他のジャンルの番組との関連性を視覚的に把握することができない。そこで、全体の番組表の中で視聴者が選択する頻度の高いジャンルの番組タイトルを色分けする技術が提案されている。このような従来技術によって多数の番組から目的とする番組を選ぶようにした。しかし、まだ、番組数が多い場合は受信すべき番組タイトルの選択に多大な手数を要していた。検索用のジャンルを取扱い易いように編集するものは存在しない。特に、ジャンル数が多く、しかも選択すべき番組タイトルが多い場合にあっては、目的の番組タイトルを選べるまでに多大の手数を要した（例えば、特許文献１の段落〔００３５〕及び特許文献２参照）。
【０００７】
【特許文献１】
特開２０００−７８４８９号公報
【特許文献２】
特開平１１−１９６３４３号公報
【０００８】
【発明が解決しようとする課題】
そこで、本発明は、視聴者が好んで使用する選択頻度の高いジャンルから番組タイトルを選ぶに当たり、上記従来技術の有する課題を解決して迷わずに目的の番組タイトルを容易に選べることができるテレビジョン信号受信装置及びテレビジョン信号受信方法を提供することを目的とする。
【０００９】
【課題を解決するための手段】
上記目的を達成するために、本発明の装置は、放送送信側より伝送されるテレビジョン信号を受信するテレビジョン信号受信装置において、前記テレビジョン信号に係る番組情報データを記憶する番組情報記憶手段と（例えば、メモリ７から構成される手段）、前記番組情報記憶手段から前記番組情報データを読み出してモニタ画面上に番組情報を表示する表示手段（例えば、ＥＰＧデコーダ６、ＥＰＧ画面構成部１７、画像表示部１０等から構成される手段）と、予め決められた大ジャンル及び中ジャンルからなる分類データから検索用として所望のジャンルを選んで設定するためのジャンル検索用画面（例えば、ジャンル検索用画面３０）を前記表示手段の画面上に形成するジャンル検索用画面形成手段（例えば、ＥＰＧデコーダ６、ＥＰＧ画面構成部１７、ジャンル処理部１８、画像表示部１０等から構成される手段）と、前記ジャンル検索用画面形成手段により検索用として設定された結果のジャンルを前記表示手段の画面（例えば、画面４０、５０）に前記番組情報と共にジャンル選択用画面（例えば、ジャンル選択用画面４４）として表示するジャンル選択用画面表示手段（例えば、ＥＰＧ画面構成部１７、ジャンル処理部１８、画像表示部１０等から構成される手段）と、前記番組情報の番組表から所望の番組タイトルを選んで受信を決定する第１の決定手段（例えば、システム制御部１４、カーソル制御部１５等から構成される手段）と、前記第１の決定手段により決定された番組タイトルと同じジャンルの番組タイトルを当該ジャンル以外のものと識別可能に表示する識別手段（例えば、識別処理部１９、ＥＰＧ画面構成部１７、画像表示部１０等から構成される手段）と、前記ジャンル選択用画面に従ってジャンルを選択するジャンル選択手段（例えば、システム制御部１４、カーソル制御部１５等から構成される手段）と、前記番組情報の番組、前記ジャンル選択手段による選択により選ばれない番組タイトルを消去して選ばれた番組タイトルのみを表示する選択番組表示手段（例えば、ＥＰＧ画面構成部１７、画像表示部１０等から構成される手段）と、前記選択番組表示手段により表示された番組情報表示画面をスクロールするスクロール手段（例えば、スクロール制御部１６から構成される手段）と、前記スクロール手段によって得られる新たな番組情報が前記ジャンル選択手段によって選ばれないジャンルの番組タイトルを消去して選ばれたジャンルの番組タイトルのみを表示するスクロール表示手段（例えば、ＥＰＧデコーダ６、ＥＰＧ画面構成部１７、画像表示部１０等から構成される手段）と、それぞれの前記選択番組表示手段により表示された番組情報表示画面から所望の番組タイトルを選択して受信を決定する決定手段（例えば、システム制御部１４、カーソル制御部１６等から構成される手段）とを備えているテレビジョン信号受信装置である。
【００１０】
また、上記目的を達成するために、本発明装置は、放送送信側より伝送されるテレビジョン信号を受信するテレビジョン信号受信装置において、前記テレビジョン信号に係る番組情報データを記憶する番組情報記憶手段（例えば、メモリ７から構成される手段）と、前記番組情報記憶手段から前記番組情報データを読み出してモニタ画面上に番組情報を表示する表示手段（例えば、ＥＰＧデコーダ６、ＥＰＧ画面構成部１７、画像表示部１０等から構成される手段）と、予め決められた分類データから検索用として所望のジャンルを選んで設定するジャンル検索用画面（例えば、ジャンル検索用画面３０）を前記表示手段の画面上に形成するジャンル検索用画面形成手段（例えば、ＥＰＧデコーダ６、ＥＰＧ画面構成部１７、ジャンル処理部１８、画像表示部１０等から構成される手段）と、前記ジャンル検索用画面形成手段により検索用として設定された結果のジャンルを前記表示手段の画面（例えば、画面４０、５０）に前記番組情報と共にジャンル選択用画面（例えば、ジャンル選択用画面４４）として表示するジャンル選択用画面表示手段（例えば、ＥＰＧ画面構成部１７、ジャンル処理部１８、画像表示部１０等から構成される手段）と、前記番組情報の番組表から所望の番組タイトルを選んで受信を決定する第１の決定手段（例えば、システム制御部１４、カーソル制御部１５などから構成される手段）と、前記第１の決定手段により決定された番組タイトルと同じジャンルの番組タイトルを当該ジャンル以外のものと識別可能に表示する識別手段（例えば、識別処理部１９、ＥＰＧ画面構成部１７、画像表示部１０等から構成される手段）と、前記ジャンル選択用画面に従ってジャンルを選択するジャンル選択手段（例えば、システム制御部１４、カーソル制御部１５等から構成される手段）と、前記ジャンル検索手段による選択により選ばれない番組タイトルを消去して選ばれた番組タイトルのみを表示する選択番組表示手段（例えば、ＥＰＧ画面構成部１７、画像表示部１０等から構成される手段）と、前記選択番組表示手段により表示された番組情報画面から所望の番組タイトルを選択して受信を決定する決定手段（例えば、システム制御部１４、カーソル制御部１５等から構成される手段）とを備えているテレビジョン信号受信装置である。
【００１１】
また、上記目的を達成するために、本発明の装置は、上記発明においてジャンル検索用画面形成手段における分類データは予め決められた大ジャンル及び中ジャンルからなるテレビジョン信号受信装置である。
【００１２】
一方、上記目的を達成するために、本発明の方法は、放送送信側より伝送れるテレビジョン信号を受信するテレビジョン信号受信装置において、前記テレビジョン信号に係る番組情報データを記憶し、前記記憶された番組情報データを読み出し（例えば、ＥＰＧデコーダ６による読み出す制御）、予め決められた大ジャンル及び中ジャンルからなる分類データから検索用として所望のジャンルを選んで設定するためのジャンル検索用画面（例えば、ジャンル検索用画面３０）を形成し（例えば、ＥＰＧデコーダ６、ＥＰＧ画面構成部１７、ジャンル処理部１８、画像表示部１０等による形成制御）、前記ジャンル検索用画面で設定された結果をジャンル選択用画面（例えば、ジャンル選択用画面４４）として前記読み出された番組情報と共に同一画面に表示し（例えば、ＥＰＧデコーダ６、ＥＰＧ画面構成部１７、ジャンル処理部１８、画像表示部１０等による表示制御）、前記番組情報の番組表から所望の番組タイトルを選んで受信のための第１の決定をすると共に（例えば、システム制御部１４、カーソル制御部１５等による決定制御）、同一ジャンルの番組とそれ以外のものとを識別させ（例えば、識別処理部１９、ＥＰＧ画面構成部１７、画像表示部１０等により識別制御）、一方、前記ジャンル選択用画面に従ってジャンルを選択し（例えば、システム制御部１４、カーソル制御部１５等による選択制御）、選択された結果が選ばれないジャンルの番組タイトルを消去し選ばれたジャンルの番組タイトルのみを表示し（例えば、ＥＰＧ画面構成部１７、画像表示部１０等による表示制御）、スクロールされて得られた新たな番組タイトルが前記ジャンルの選択結果と同じく選ばれないジャンルの番組タイトルを消去し選ばれたジャンルの番組タイトルのみを表示し（例えば、スクロール制御部１６、ＥＰＧデコーダ６、ＥＰＧ画面構成部１７、画像表示部１０等による表示制御）、それぞれの前記選ばれた番組タイトルの表示画面から所望の番組タイトルを選択して受信のための第２の決定を可能する（例えば、システム制御部１４、カーソル制御部１５等による決定制御）テレビジョン信号受信方法である。
【００１３】
また、上記目的を達成するために、本発明の方法は、放送送信側より伝送れるテレビジョン信号を受信するテレビジョン信号受信装置において、前記テレビジョン信号に係る番組情報データを記憶し、前記記憶された番組情報データを読み出し（例えば、ＥＰＧデコーダ６による読み出す制御）、予め決められた分類データから検索用として所望のジャンルを選んで設定するためのジャンル検索用画面（例えば、ジャンル検索用画面３０）を形成し（例えば、ＥＰＧデコーダ６、ＥＰＧ画面構成部１７、ジャンル処理部１８、画像表示部１０等による形成制御）、前記ジャンル検索用画面で設定された結果をジャンル選択用画面（例えば、ジャンル選択用画面５４）として前記読み出された番組情報と共に同一画面に表示し（例えば、ＥＰＧデコーダ６、ＥＰＧ画面構成部１７、ジャンル表示部１８、画像表示部１０等による表示制御）、前記番組情報の番組表から所望の番組タイトルを選んで受信のための第１の決定をすると共に（例えば、システム制御部１４、カーソル制御部１５等による決定制御）、同一ジャンルの番組とそれ以外のものとを識別させ（例えば、識別処理部１９、ＥＰＧ画面構成部１７、画像表示部１０等による識別制御）、一方、前記ジャンル選択用画面に従ってジャンルを選択し（例えば、システム制御部１４、カーソル制御部等による選択制御）、選択された結果が選ばれないジャンルの番組タイトルを消去し選ばれたジャンルの番組タイトルのみを表示し（例えば、ＥＰＧ画面構成部１７、画像表示部１０等による表示制御）、前記選ばれたジャンルの番組タイトルの表示画面から所望の番組タイトルを選択して受信のための第２の決定を可能にする（例えば、システム制御部１４、カーソル制御部１５等による決定制御）テレビジョン信号受信方法である。
【００１４】
更に、上記目的を達成するために、本発明の方法は、上記発明において分類データは予め決められた大ジャンル及び中ジャンルからなるテレビジョン信号受信方法である。
【００１５】
【発明の実施の形態】
以下、図面を用いて本発明の実施の形態について説明する。
【００１６】
図１は、本発明の実施の形態の一例におけるディジタルテレビ放送のテレビジョン信号受信装置を示すブロック図である。１はテレビジョン信号受信装置であり、チューナ部２、デマルチプレクサ３、ビデオデコーダ４、オーディオデコーダ５、ＥＰＧデコーダ６、メモリ７、表示制御部８、デジタル／アナログ変換部９、画像表示部１０、音声出力部１１、受光部１２、リモートコントローラ１３、システム制御部１４、カーソル制御部１５、スクロール制御部１６、ＥＰＧ画面構成部１７、ジャンル処理部１８、識別処理部１９及びこれら構成部を接続するバス２０からなっている。なお、テレビジョン信号受信装置１には、リモートコントローラ１３と実質的に同じ構成である操作部が設けられているが、説明の便宜上その説明を省略する。
【００１７】
チューナ部２は、アンテナからの放送データを受信し、復調、誤り訂正等の処理を実行する。チューナ部２で処理されたデータ、トランスポートストリーム（ＴＳ）はデマルチプレクサ３に供給され、即ち複数チャンネル分の映像データ、音声データ及びＥＰＧデータ等が時分割多重化されているＴＳから、所望のチャンネルの映像データＤ１、音声データＤ２及びＥＰＧデータＤ３を取り出す。そして、映像データＤ１はビデオデコーダ４に供給し、音声データＤ２はオーディオデコーダ５に供給し、ＥＰＧデータＤ３はメモリに供給する。
【００１８】
ビデオデコーダ４は、デマルチプレクサ３からの映像データＤ１を復号化し、この復号化されたデータを表示制御部８に供給して画像表示部１０、即ちモニタ画面上に映像を映し出すようにしている。オーディオデコーダ５は、デマルチプレクサ３からの音声データＤ２を復号化し。この復号化されたデータをデジタル／アナログ変換部９に供給して音声出力部１１、即ちスピーカにより音声を出力する。
【００１９】
ＥＰＧデコーダ６は、デマルチプレクサ３からのＥＰＧデータＤ３を復号化してＥＰＧ表示データＤ４を生成するが、ＥＰＧデータＤ３はＥＰＧデコーダ６に供給される前に、一旦、メモリ７に記憶される。そして、メモリ７に記憶されたＥＰＧデータＤ３は、リモートコントローラ１３の操作によりＥＰＧ表示のスタート指示があった場合にＥＰＧデコーダ６に入力される。従って、ＥＰＧデコーダ６は、メモリ７からのＥＰＧデータＤ３を復号化してＥＰＧ表示データＤ４を生成しＥＰＧ画面構成部１７へ供給する。ＥＰＧ画面構成部１７はＥＰＧ表示データＤ４に基づいてＥＰＧ画面を構成する。この構成されたデータは、表示制御部８に供給され画面表示部１０において後述するようにモニタ画面上に表示される。
【００２０】
画面表示部１０で表示されるＥＰＧは、社団法人電波産業会（通称ＡＲＩＢ）標準規格「デジタル放送に使用する番組配列情報」等でなされているデータ構造で伝送され、多数のチャンネル番号、番組タイトル、時間等の多種多様の情報からなる。また、図２で示す予め決められた番組ジャンルコード表の分類コードに基づくジャンルデータＤ５はＥＰＧデコーダ６によって得られるが、このジャンルデータＤ５はジャンル処理部１８に一旦記憶され、システム制御部１４の制御によって編集され、ジャンル検索用データＤ６としてＥＰＧ画面構成部１７に供給されるようになっている。
【００２１】
番組ジャンルコード表は、図２で示すように大ジャンル２１と中ジャンル２２の２種類があり、大ジャンル２１は、「ニュース・報道」「スポーツ」「情報ワイドショー」「ドラマ」「音楽」「バラエティ」「映画」「アニメ・特撮」「ドキュメンタリー・教養」「劇場公演」「趣味・教育」「福祉」「その他」の１３種に分けられている。そして、夫々の大ジャンル２１には多数の中ジャンル２２が存在する。
【００２２】
リモートコントローラ１３の操作により図３で示すジャンル検索用画面３０を画像表示部１０の画面上に呼び出すようになっている。このジャンル検索用画面３０は，ジャンル１〜５まで最大５種のジャンルの設定ができるようになっている。そして、各ジャンルは大ジャンル２１、中ジャンル２２との組み合わせをとることができるようになっている。また、このジャンル検索用画面３０には、リモートコントローラ１３の操作によりジャンル表示画面３１が読み出されるようになっている。今、大ジャンルの位置にジャンル表示画面３１が読み出され、そこに大ジャンル２１の内容が表示されている。そこで、リモートコントローラ１３の操作によりカーソルを「スポーツ」に移動させ、決定操作をすればジャンル１の大ジャンルに「スポーツ」を設定できる。そして、中ジャンルでは、中ジャンル２２のジャンル表示画面（図示せず）を読み出し、同様にして、例えば「サッカー」を選択して設定できる。以下、ジャンル２では大ジャンル「映画」であり、ジャンル３では大ジャンル「ドラマ」、中ジャンル「国内ドラマ」の組み合わせであり、ジャンル４では大ジャンル「アニメ・特撮」、ジャンル５は未設定ということで完成させる。
【００２３】
図３で示したように選択して設定が完了した画面は、リモートコントローラ１３の操作によってＥＰＧ処理部１からジャンル検索用データＤ６として得られる。このデータＤ６は、表示データＤ４と共にＥＰＧ画面構成部１７に供給されて、図４で示すように番組情報と共に表示される。この画面４０において、４１は番組表であり、横軸４２が放送時間で縦軸４３がチャンネルであり、その放送時間とチャンネルに相当する番組のタイトルが表示されている。画面４０の下方には、上述したジャンル検索用データＤ６によって作成されたジャンル選択用画面４４が表示されるようになっている。
【００２４】
識別処理部１９は、リモートコントローラ１３によりカーソル制御部１５を制御して番組表４１の所望の番組タイトルを指示し受信を決定しようとした場合、その番組タイトルと同一ジャンルの番組タイトルを当該ジャンル以外のものと識別可能に表示する識別データを発生する。これは、ＥＰＧ画面処理部１７が番組タイトルのインデックスデータにより同一ジャンルを判別した結果に基づき、番組表４１上で色付けするための処理データを生成する。例えば、図４において、番組タイトルがサッカー教室である所をカーソルで指示し決定操作をすると、予め設定したジャンル１における大ジャンル「スポーツ」、中ジャンル「サッカー」の全ての番組タイトルが色付けされる。ここで、チューナ部２はサッカー教室の番組タイトルに相当するチャンネルを選択して第１の決定操作が達成される。そして、その映像データＤ１、音声データＤ２がビデオデコーダ４、オーディオデコーダ５で復号化され、表示制御部８、デジタル／アナログ変換部９を介して画像表示部１０、音声出力部１２に供給される。他の番組タイトルを選んだ場合も同様の同一ジャンルの番組タイトルが識別表示される。
【００２５】
一方、リモートコントローラ１３によりカーソル制御部１５を制御して、ジャンル選択用画面４４の所望のジャンルを指示し決定操作を行えば、ＥＰＧ画面処理部１７が夫々の番組タイトルに付された同一ジャンルの番組タイトルのみを選ぶ。そして、それ以外の番組タイトルは消去されて同一ジャンルの番組タイトルのみが画像表示部１０に表示されるようになっている。例えば、図５で示すように、リモートコントロール１３によりカーソル制御部１５を制御して、カーソルをジャンル選択用画面４４のジャンル１に移動させ、そこで決定操作を行えば「スポーツ」の中の「サッカー」のみの番組タイトルを表示するようになる。以下、同様に他のジャンルを選択すれば、選ばれたジャンルの番組タイトルのみが表示される。
【００２６】
ここで、リモートコントローラ１４によりカーソル制御部１５を制御して、番組表５１で表示されているものから所望の番組タイトルを選択して決定すれば、チューナ部２は放送送信側から伝送されるテレビジョン信号から選択された番組タイトルに相当するチャンネルを選択する第２の決定操作が達成される。その映像データＤ１、音声データＤ２はビデオデコーダ４、オーディオデコーダ５で復号化され、表示制御部８、デジタル／アナログ変換部９を介して画像表示部１１、音声出力部１２に供給される。
【００２７】
画面表示部１０で表示されるＥＰＧは、リモートコントローラ１３によってスクロール制御部１６を制御して横軸４２方向あるいは縦軸４３方向にスクロールされる。これは、ＥＰＧデコーダ６がメモリ７よりスクロールされた新しいＥＰＧデータＤ３を読み出して新しいＥＰＧ表示データＤ４を生成することにより新、旧の番組表の入れ替えを連続的に実行する。この際、ジャンル選択用画面４４では、選択設定されたジャンルが固定されているため、システム制御部１４がＥＰＧ画面構成部１７から得られるデータを選択されたジャンルの番組タイトルのみ表示されるように制御する。従って、画面表示部１０にはスクロールされても選択されたジャンルに相当する番組タイトルにみが表示される。
【００２８】
次に、視聴者の取り扱い方法について、図６のリモートコントローラの説明図、図７のフローチャートに基づき説明する。
【００２９】
視聴者は、リモートコントローラ１３の電源ボタン６０を操作してテレビジョン信号受信装置１を作動させれば、テレビジョン信号受信装置１がテレビジョン信号と共に伝送される番組情報、即ちＥＰＧが受信される。視聴者はＥＰＧボタン６１を操作してＥＰＧからのジャンルの選択設定をして番組選択を開始する。
【００３０】
ステップＳ１では、前述した図３で示すようにジャンルを検索して指定し作成するためのジャンル検索用画面３０が表示されているので、ジャンル表示画面３１を大ジャンル、中ジャンル位置に読み出す。
【００３１】
視聴者は、ステップＳ２において、ジャンル１を設定しカーソルボタン６２を操作してカーソルを大ジャンル位置にあるジャンル表示画面３１の「スポーツ」に移動する。そして、決定ボタン６３を操作してジャンル設定をする。次には中ジャンルに移動してジャンル表示画面（図示せず）を読み出すと、「スポーツ」の中ジャンルの内容が表示されるので、例えば「サッカー」を選択して設定する。以下順に、ジャンル２以降の設定を行う。
【００３２】
視聴者は、ステップＳ３において、リモートコントローラ１３により番組表４１を画像表示部１０で表示するように操作すると、これと共にジャンル選択用画面４４が表示される。
【００３３】
視聴者は、番組表４１から直ちに所望の番組タイトルを選んで受信するという第１の決定操作をとることと決断したならば、ステップＳ４において、番組表４１の例えば、所望の番組としてサッカー教室映画にカーソルを移動させ決定操作を行う。この操作により同一ジャンルの他の番組タイトルが色付けされて識別表示される。この識別表示により、視聴者は同一ジャンルの番組タイトルを認識でき、また、全体の番組の状況をも把握できた上での選択、決定を行うことができる。この選択、決定されたサッカー教室のチャンネルは受信されて映像が画像表示部１０で映し出され、音声が音声出力部１１で送出される。
【００３４】
一方、視聴者は、いつも使用する例えば、「スポーツ」「サッカー」のジャンルから検索したいと決断したならば、ステップＳ５において、ジャンル選択用画面４４のジャンル１を選択すればよい。そして、ステップＳ６において、所望の番組タイトルを選んで受信するという第２の決定操作を行う。この操作によって選択された番組タイトルのチャンネルは受信されて映像が画像表示部１０で映し出され、音声が音声出力部１１で送出される。
【００３５】
本発明の実施の態様の一例によれば、画像表示部１０に表示されたＥＰＧから大ジャンル、中ジャンルという複数層のジャンルから所望のジャンルの検索によって、所望の番組みを選択する場合、ジャンル検索用画面３０において予め視聴頻度の高いジャンルを選んで設定しておくことができる。この設定結果は、ジャンル選択用画面４４として番組表４１と同一画面上に表示され、同一画面上でのジャンルの選択ができる。そして、番組表４１から直接に番組タイトルを選んだ場合に同一ジャンルの番組タイトルの識別がなされ、このような全体把握の上で第１の決定操作を行って選んだ番組タイトルのチャンネルの受信がなされる。一方、いつも使用する視聴頻度の高いジャンルから検索した方がよいと決断した場合は、番組表４１と同一画面上のジャンル選択用画面４４でジャンルの選択を行い番組を絞ってから所望の番組を選択する第２の決定操作を行卯ことができる。
【００３６】
また、スクロールしても新たに表示される番組タイトルは選択されたジャンルのみが自動的に表示されるので検索の範囲を変更しても改めてジャンル選択用画面４４で改めて設定し直す必要が無い。
【００３７】
本発明の実施の態様の一例では、同一ジャンルの番組タイトルの識別を色付けによって行ったが、これに限定されず文字の明度を反転させる等の種々の方法がある。
【００３８】
また、本発明の実施の態様の一例では、選択決定された番組タイトルのチャンネルは直ちに画像表示部１０で画像が映し出され、音声出力部１１で音声が送出されたが、選択決定された番組タイトルをタイマー録画によって録画されるようにすることもできる。
【００３９】
更に、本発明の実施の態様の一例では、番組情報データはテレビジョン信号と共に伝送したが、これに限定されず、インターネットで伝送してもよく、更にＣＤ−ＲＯＭ等の記録媒体で配布されるものを利用しても良い等種々の方法がある。
【００４０】
更にまた、本発明の実施の態様の一例では、画像表示部１０、音声出力部１１はテレビジョン信号受信装置１と一体としたが別体であってもよい。
【００４１】
【発明の効果】
上述したように、本発明の請求項１によれば、第１の決定手段により番組表から直接に所望の番組タイトルを選んで受信を決定することができ、この場合に同じジャンルに属する他の番組タイトルを識別手段により当該ジャンル以外のものと識別可能にできる。また、表示手段により表示されたジャンル検索用画面において、大ジャンル、中ジャンルという複数層で且つ、夫々が多数のジャンルからなる極めて複雑なものから、予め、視聴頻度の高いジャンルを複数選び、その結果をジャンル選択用画面として番組表と同一画面上に表示することができる。そして、この画面で選ばれない番組タイトルを消し込み選ばれた番組を表示し、この表示画面から所望の番組タイトルを第２の決定手段で選んで受信を決定するようにしたため、以下の効果がある装置を提供できる。
【００４２】
第１に、視聴者は、使用頻度の高いジャンルを予め検索して設定しておくことにより、ジャンル別から所望の番組タイトルを選ぶに当たり、その都度、極めて多数のジャンルに中から選択していくという面倒な操作をなくすことができる。
【００４３】
第２に、視聴者は、全体を表示した番組表から直接に所望の番組タイトルを選びたい場合、第１の決定手段を採用し、同一画面上で同一ジャンルの番組タイトルはどのようなものがあるのか、同一ジャンル以外の番組はどのようなものがあるのか視覚的に一瞥して把握できる。従って、極めて多数の番組情報から迷わずに所望の番組タイトルを選択できる。そして、この番組表はジャンル別の画面に入って第２の決定手段をとろうとする前に必ず表示されるので、次の作業に入る前にもう一つの第１の決定手段を選ぶことができるという簡素な手順で操作の多様性を図ることができる。
【００４４】
第３に、視聴者は、同一画面上で番組情報とジャンル選択用画面との相関関係を、即ち全体的にどの程度の選択すべき番組タイトルがあるのか、どの程度の選択がなされているのか勅旨できるため極めて多数の番組情報から迷わずに所望の番組タイトルを選択できる。
【００４５】
また、画面をスクロールした場合に新たに表示される番組タイトルは、選択されたジャンルのみが自動的に表示されるため、チャンネル、放送時間等を変更して検索範囲を拡大しても視聴者が改めてジャンル検索操作をする必要が無い。従って、視聴者は簡単な操作で検索範囲を拡大して所望の番組タイトルの選択ができる装置を提供できる。
【００４６】
上述したように、本発明の請求項２によれば、上述したように、第１の決定手段により番組表から直接に所望の番組タイトルを選んで受信を決定することができ、この場合に同じジャンルに属する他の番組タイトルを識別手段により当該ジャンル以外のものと識別可能にできる。また、表示手段により表示されたジャンル検索用画面において、大ジャンル、中ジャンルという複数層で且つ、夫々が多数のジャンルからなる極めて複雑なものから、予め、視聴頻度の高いジャンルを複数選び、その結果をジャンル選択用画面として番組表と同一画面上に表示することができる。そして、この画面で選ばれない番組タイトルを消し込み選ばれた番組を表示し、この表示画面から所望の番組タイトルを第２の決定手段で選んで受信を決定するようにしたため、以下の効果がある装置を提供できる。
【００４７】
第１に、視聴者は、使用頻度の高いジャンルを予め検索して設定しておくことにより、ジャンル別から所望の番組タイトルを選ぶに当たり、その都度、極めて多数のジャンルに中から選択していくという面倒な操作をなくすことができる。
【００４８】
第２に、視聴者は、全体を表示した番組表から直接に所望の番組タイトルを選びたい場合、第１の決定手段を採用し、同一画面上で同一ジャンルの番組タイトルはどのようなものがあるのか、同一ジャンル以外の番組はどのようなものがあるのか視覚的に一瞥して把握できる。従って、極めて多数の番組情報から迷わずに所望の番組タイトルを選択できる。そして、この番組表はジャンル別の画面に入って第２の決定手段をとろうとする前に必ず表示されるので、次の作業に入る前にもう一つの第１の決定手段を選ぶことができるという簡素な手順で選択、決定方法の多様性を図ることができる。
【００４９】
第３に、視聴者は、同一画面上で番組情報とジャンル選択用画面との相関関係を、即ち全体的にどの程度の選択すべき番組タイトルがあるのか、どの程度の選択がなされているのか直視できるため極めて多数の番組情報から迷わずに所望の番組タイトルを選択できる。
【００５０】
本発明の請求項３によれば、請求項２において、分類データは大分類、中分類というように複数層からなる複雑で極めて多数のジャンルからでも予めジャンルを設定しておくことができる。そのため、視聴者はジャンル別から所望の番組タイトルを選ぶに当たり、その都度、極めて多数のジャンルの中から選択していくという面倒な操作をなくした装置を提供できる。
【００５１】
本発明の請求項４によれば、番組表から直接に所望の番組タイトルを選んで受信するという第１の決定をとることができ、この場合に同じジャンルに属する他の番組タイトルを当該ジャンル以外のものと識別可能にできる。また、表示手段により表示されたジャンル検索用画面において、大ジャンル、中ジャンルという複数層で且つ、夫々が多数のジャンルからなる極めて複雑なものから、予め、視聴頻度の高いジャンルを複数選び、その結果をジャンル選択用画面として番組表と同一画面上に表示することができる。そして、この画面で選ばれない番組タイトルを消し込み選ばれた番組を表示し、この表示画面から所望の番組タイトルを選んで受信するという第２の決定を可能にしたため、以下の効果がある方法を提供できる。
【００５２】
第１に、視聴者は、使用頻度の高いジャンルを予め検索して設定しておくことにより、ジャンル別から所望の番組タイトルを選ぶに当たり、その都度、極めて多数のジャンルに中から選択していくという面倒な操作をなくすことができる。
【００５３】
第２に、視聴者は、全体を表示した番組表から直接に所望の番組タイトルを選びたい場合、第１の決定を採用し、同一画面上で同一ジャンルの番組タイトルはどのようなものがあるのか、同一ジャンル以外の番組はどのようなものがあるのか視覚的に一瞥して把握できる。従って、極めて多数の番組情報から迷わずに所望の番組タイトルを選択できる。そして、この番組表はジャンル別の画面に入って第２の決定をとろうとする前に必ず表示されるので、次の作業に入る前にもう一つの第１の決定を選ぶことができるという簡素な手順で選択、決定方法の多様性を図ることができる。
【００５４】
第３に、視聴者は、同一画面上で番組情報とジャンル選択用画面との相関関係を、即ち全体的にどの程度の選択すべき番組タイトルがあるのか、どの程度の選択がなされているのか勅旨できるため極めて多数の番組情報から迷わずに所望の番組タイトルを選択できる。
【００５５】
また、画面をスクロールした場合に新たに表示される番組タイトルは、選択されたジャンルのみが自動的に表示されるため、チャンネル、放送時間等を変更して検索範囲を拡大しても視聴者が改めてジャンル検索操作をする必要が無い。従って、視聴者は簡単な操作で検索範囲を拡大して所望の番組タイトルの選択ができる方法を提供できる。
【００５６】
上述したように、本発明の請求項５によれば、番組表から直接に所望の番組タイトルを選んで受信するという第１の決定をとることができ、この場合に同じジャンルに属する他の番組タイトルを当該ジャンル以外のものと識別可能にできる。また、表示手段により表示されたジャンル検索用画面において、大ジャンル、中ジャンルという複数層で且つ、夫々が多数のジャンルからなる極めて複雑なものから、予め、視聴頻度の高いジャンルを複数選び、その結果をジャンル選択用画面として番組表と同一画面上に表示することができる。そして、この画面で選ばれない番組タイトルを消し込み選ばれた番組を表示し、この表示画面から所望の番組タイトルを選んで受信するという第２の決定を可能にしたため、以下の効果がある方法を提供できる。
【００５７】
第１に、視聴者は、使用頻度の高いジャンルを予め検索して設定しておくことにより、ジャンル別から所望の番組タイトルを選ぶに当たり、その都度、極めて多数のジャンルに中から選択していくという面倒な操作をなくすことができる。
【００５８】
第２に、視聴者は、全体を表示した番組表から直接に所望の番組タイトルを選びたい場合、第１の決定を採用し、同一画面上で同一ジャンルの番組タイトルはどのようなものがあるのか、同一ジャンル以外の番組はどのようなものがあるのか視覚的に一瞥して把握できる。従って、極めて多数の番組情報から迷わずに所望の番組タイトルを選択できる。そして、この番組表はジャンル別の画面に入って第２の決定をとろうとする前に必ず表示されるので、次の作業に入る前にもう一つの第１の決定手段を選ぶことができるという簡素な手順で選択、決定方法の多様性を図ることができる。
【００５９】
第３に、視聴者は、同一画面上で番組情報とジャンル選択用画面との相関関係を、即ち全体的にどの程度の選択すべき番組タイトルがあるのか、どの程度の選択がなされているのか勅旨できるため極めて多数の番組情報から迷わずに所望の番組タイトルを選択できる。
【００６０】
本発明の請求項６によれば、請求項５において、分類データは大分類、中分類というように複数層からなる複雑で極めて多数のジャンルからでも予めジャンルを設定しておくことができる。そのため、視聴者はジャンル別から所望の番組タイトルを選ぶに当たり、その都度、極めて多数のジャンルの中から選択していくという面倒な操作をなくした方法を提供できる。
【図面の簡単な説明】
【図１】本発明の実施の形態の一例を示すテレビジョン信号受信装置のブロック図である。
【図２】本発明の実施の形態の一例における分類データに基づく番組ジャンルコードを示す説明図である。
【図３】本発明の実施の形態の一例におけるジャンル検索のためのジャンル検索用作成画面を示す説明図である。
【図４】本発明の実施の形態の一例における第１の決定による番組タイトルを選ぶことを示す説明図である。
【図５】本発明の実施の態様の一例における第２の決定による番組タイトルを選ぶことを示す説明図である。
【図６】本発明の実施の形態の一例に適用されるリモートコントローラの操作面を示す説明図である。
【図７】本発明の実施の形態の一例における動作を示すフローチャートである。
【符号の説明】
１　　　　　テレビジョン信号受信装置
６　　　　　ＥＰＧデコーダ
７　　　　　メモリ
８　　　　　表示制御部
１０　　　　画面表示部
１１　　　　音声出力部
１４　　　　リモートコントローラ
１５　　　　システム制御部
１６　　　　カーソル制御部
１７　　　　スクロール制御部
１８　　　　ジャンル処理部
１９　　　　識別処理部
２１　　　　大ジャンル
２２　　　　中ジャンル
３０　　　　ジャンル検索用画面
３１　　　　ジャンル表示画面
４１、５１　番組表
４４　　　　ジャンル選択用画面
６０　　　　電源ボタン
６１　　　　ＥＰＧボタン
６２　　　　カーソルボタン
６３　　　　決定ボタン
【図１】
2004140724.tif 000003
【図２】
2004140724.tif 000004
【図３】
2004140724.tif 000005
【図４】
2004140724.tif 000006
【図５】
2004140724.tif 000007
【図６】
2004140724.tif 000008
【図７】
2004140724.tif 000009